(57)【要約】【課題】自宅、棺内において安置された遺体を、布団を自然な状態でかけ、外観的にも何ら違和感もなく冷却することができる軽量で使い勝手の良い遺体安置用冷却盤及び該遺体安置用冷却盤を備えた遺体冷却装置を実現する。【解決手段】冷凍機にパイプ４を介して冷気を受けるように接続された底の浅い平板状の筺体８を備え、筺体８内には、頂板支持桟９で仕切られた複数の空間１７が形成されており、複数の頂板支持桟９には、それぞれ冷凍機３からパイプ４を通して送給される冷気が、隣接する空間１７内に流通する冷気流通孔２１が設けられており、頂板１３は、頂板支持桟９の上に固定されて下方から支持されているとともに、その全面にわたって前記空間１７に開口する多数の冷気流出孔２５が設けられている。【選択図】図１
2019115543.tif 000002
【特許請求の範囲】
【請求項１】
冷凍機にパイプを介して冷気を受けるように接続された筺体を備え、遺体を筺体の上に横臥して冷却する遺体安置用冷却盤であって、
筺体は、底板、左右前後の側板及び頂板を有した底の浅い平板状の筺体として形成されており、
底板上には、複数の頂板支持桟が固定され、筺体内には、前記複数の頂板支持桟で仕切られた複数の空間が形成されており、
複数の頂板支持桟には、それぞれ冷凍機からパイプを通して送給される冷気が、隣接する空間内に流通する冷気流通孔が設けられており、
頂板は、頂板支持桟の上に載置されて下方から支持されているとともに、その全面にわたって前記空間に開口する多数の冷気流出孔が設けられている構成であることを特徴とする遺体安置用冷却盤。
【請求項２】
頂板支持桟は、上端部、垂直部及び下端部を有し、長手方向に直交する断面がコの字形に形成されており、断面がコの字形の頂板支持桟の上端部及び下端部は、それぞれ筺体の頂板及び底板と平行に配置されて、頂板及び底板に当接して固定されている構成であることを特徴とする請求項１に記載の遺体安置用冷却盤。
【請求項３】
複数の冷気流通孔は、頂板支持桟の垂直部に、長手方向に一定間隔をおいて形成されており、上下方向に長軸を有する楕円形に形成されていることを特徴とする請求項１又は２に記載の遺体安置用冷却盤。
【請求項４】
頂板は、左右前後の側板のいずれか又は頂板支持桟に、固定されている又は着脱可能に取り付けられている構成であることを特徴とする請求項１〜３のいずれかに記載の遺体安置用冷却盤。
【請求項５】
筺体は、木材又は紙材で形成されている構成であることを特徴とする請求項１〜４のいずれかに記載の遺体安置用冷却盤。
【請求項６】
請求項１〜５のいずれかに記載の遺体安置用冷却盤と、冷凍機と、冷凍機と遺体安置用冷却盤を接続し冷凍機から遺体安置用冷却盤に冷気を供給するパイプと、を備えたことを特徴とする遺体冷却装置。
【発明の詳細な説明】
【技術分野】
【０００１】
本発明は、ドライアイス等の保冷剤を使用することなく遺体を冷却する遺体安置用冷却盤及び該遺体安置用冷却盤を備えた遺体冷却装置に関するものである。
【背景技術】
【０００２】
従来、遺体の腐敗防止のために、ドライアイスを使用することなく、遺体を冷却する冷却装置は知られている。例えば、冷凍機と、冷凍機からの冷媒が循環する冷却部を下部に設けたカバーフレームとを備え、カバーフレームで遺体を覆うような遺体冷却装置が知られている（特許文献１参照）。
【０００３】
冷却装置と、冷却装置からの冷媒を循環させる冷媒循環路を内面に設けた冷却保存シートを備え、冷却保存シートで遺体を包み込んで冷却する遺体保存手段が知られている（特許文献２参照）。
【０００４】
筺体の天板に冷却装置が４個取り付けられており、冷却装置のペルチエ素子の冷熱を伝える伝熱部材は天板を貫通して上方に突出し遺体の首部、胴体部に分散配置に直接接触することができるようにした遺体保管装置が知られている（特許文献３参照）。
【０００５】
冷凍機が発生する冷気をフレキシブルチューブで棺桶内に導入し、遺体を棺桶の底板上に置いて簀子状寝台に寝かせて、遺体の腐敗及び死臭を抑止する冷却棺桶装置が知られている（特許文献４参照）。
【０００６】
冷却ユニットにより冷却された水やブライン等の熱媒体を流通させる熱媒体流路を備えた可撓性の冷却シートで遺体を覆い冷却する構成が知られている（特許文献５参照）。
【先行技術文献】
【特許文献】
【０００７】
【特許文献１】特開２００４−２０１７７０号公報
【特許文献２】再公表特許ＷＯ２０１５／０４０７５４号公報
【特許文献３】特開２００９−０１１５７４号公報
【特許文献４】特開２００６−２１８１７７号公報
【特許文献５】特開２００７−０５１８５５号公報
【発明の概要】
【発明が解決しようとする課題】
【０００８】
上記特許文献１、２、５に記載の冷却装置、遺体保存手段は、遺体を覆ったり、包んだりするには適しているが、死後、自宅等において、このような冷却装置、遺体保存手段で遺体を覆ったり、包んだりしてから布団を掛けると、不自然な状態となって、布団を自然な状態でかけた状態には見えなくなる。
【０００９】
また、このような冷却装置、遺体保存手段で遺体を覆ったり、包んだりした状態では、そのまま棺内に安置することは、そのボリュームからしても無理であるものと考えられる。
【００１０】
上記特許文献３に記載の遺体保管装置は、冷却装置のペルチエ素子の冷熱を伝える伝熱部材は天板から上方に突出し遺体の首部、胴体部に直接接触するので、遺体全体を均等に冷却するには適していないものと考えられ、しかもペルチエ素子を複数箇所に設けなくてはならないので、構造的には複雑になるものと考えられる。
【００１１】
上記特許文献４に記載の冷却棺桶装置は、棺桶内に冷気を導入するには適しているが、死後、自宅等において、布団を自然な状態でかけた状態で安置された遺体を冷却するためには使用できないものと考えられる。
【００１２】
本発明は、上記従来技術の問題を解決することを目的とし、死後、自宅等において安置された遺体を、布団を自然な状態でかけ、外観的にも何ら違和感もなく冷却することができるとともに、棺の底部上にも配置可能とし、棺内に安置された遺体についても冷却可能な、軽量、コンパクトで使い勝手の良い、遺体安置用冷却盤及び該遺体安置用冷却盤を備えた遺体冷却装置を実現することを課題とする。
【課題を解決するための手段】
【００１３】
本発明は上記課題を解決するために、冷凍機にパイプを介して冷気を受けるように接続された筺体を備え、遺体を筺体の上に横臥して冷却する遺体安置用冷却盤であって、筺体は、底板、左右前後の側板及び頂板を有した底の浅い平板状の筺体として形成されており、底板上には、複数の頂板支持桟が固定され、筺体内には、該複数の頂板支持桟で仕切られた複数の空間が形成されており、複数の頂板支持桟には、それぞれ冷凍機からパイプを通して送給される冷気が、隣接する空間内に流通する冷気流通孔が設けられており、頂板は、頂板支持桟の上に載置されて下方から支持されているとともに、その全面にわたって前記空間に開口する多数の冷気流出孔が設けられている構成であることを特徴とする遺体安置用冷却盤を提供する。
【００１４】
頂板支持桟は、上端部、垂直部及び下端部を有し、長手方向に直交する断面がコの字形に形成されており、断面がコの字形の頂板支持桟の上端部及び下端部は、それぞれ筺体の頂板及び底板と平行に配置されて、頂板及び底板に当接して固定されている構成であることが好ましい。
【００１５】
複数の冷気流通孔は、頂板支持桟の垂直部に、長手方向に一定間隔をおいて形成されており、上下方向に長軸を有する楕円形に形成されていることが好ましい。
【００１６】
頂板は、左右前後の側板のいずれか又は頂板支持桟に、固定されている又は着脱可能に取り付けられている構成であることが好ましい。
【００１７】
筺体は、木材又は紙材で形成されている構成であることが好ましい。
【００１８】
本発明は上記課題を解決するために、遺体安置用冷却盤と、冷凍機と、冷凍機と遺体安置用冷却盤を接続し冷凍機から遺体安置用冷却盤に冷気を供給するパイプと、を備えたことを特徴とする遺体冷却装置を提供する。
【発明の効果】
【００１９】
本発明は、遺体安置用冷却盤を、底の浅い平板状の筺体を備え、その底板に頂板支持桟を設け、頂板支持桟で補強され多数の吹き出し孔を有する頂板を備えた構成としたので、自宅で安置される遺体を、布団を自然な状態でかけ、外観的にも何ら違和感もなく冷却することができるとともに、棺の底部上に配置し、棺内に安置された遺体についても冷却することができ、軽量で運搬し易く、使い勝手が良い。
【図面の簡単な説明】
【００２０】
【図１】本発明に係る遺体安置用冷却盤及び遺体冷却装置の実施例を説明する図であり、（ａ）は全体構成を示す分解斜視図であり、（ｂ）及び（ｃ）は遺体安置用冷却盤の平面図及び側面図である。
【図２】上記実施例において遺体安置用冷却盤を説明する図であり、（ａ）は図１（ｃ）のＡ−Ａ断面図を示し、（ｂ）は図１（ｂ）のＢ−Ｂ断面図であり、（ｃ）は（ｂ）の要部拡大図であり、（ｄ）は（ｃ）のＤ−Ｄ断面図である。
【図３】上記実施例において遺体安置用冷却盤の使用態様を説明する図であり、（ａ）は自宅等で布団上に横臥された遺体の冷却に使用される状態を示し、（ｂ）、（ｃ）は棺内に横臥された遺体の冷却に使用される状態を示す。
【図４】上記実施例において、（ａ）、（ｂ）はそれぞれ頂板を着脱可能にした場合の異なる具体的な構成及びその要部拡大図を示す断面図であり、（ｃ）はステンレス製等の不燃材で形成された遺体安置用冷却盤の装入に適した特別仕様の棺を説明する断面図及びその要部拡大図である。
【発明を実施するための形態】
【００２１】
本発明に係る遺体安置用冷却盤及び該遺体安置用冷却盤を備えた遺体冷却装置を実施するための形態を実施例に基づき図面を参照して、以下説明する。
【実施例】
【００２２】
本発明に係る遺体安置用冷却盤及び該遺体安置用冷却盤を備えた遺体冷却装置の実施例を図１〜３を参照して説明する。
【００２３】
本実施例の遺体安置用冷却盤１を備えた遺体冷却装置２は、図１に示すように、遺体安置用冷却盤１と、冷凍機３と、遺体安置用冷却盤１と冷凍機３を連通させて冷凍機３からの冷気を供給するパイプ４と、を備えている。なお、本実施例では、遺体を遺体安置用冷却盤１の上に横臥させて安置した（図３（ａ）参照）状態において、頭側を前方とし、足側を後方とし、前方から後方を見て左右を左右側として説明する。
【００２４】
本実施例の遺体安置用冷却盤１は、図１（ａ）〜（ｃ）、図２（ｂ）に示すように、筺体８と、筺体８内に設けられた複数の頂板支持桟９と、を備えている。筺体８は、平面視で長方形であり、底板１０、前後の側板１１、左右の側板１２及び頂板１３を有している。
【００２５】
そして筺体８は、底の浅い平板状の筺体として形成されている。筺体８は、木材、紙材（例えば厚紙板）等の可燃材、又はステンレス板等の不燃材から形成する。筺体８を可燃材で形成すると、遺体安置用冷却盤１を、例えば後記するように、家で布団に横臥させた遺体の冷却に使用できるだけでなく、棺内に横臥させた遺体の冷却にも使用でき、しかも棺とともに燃やすことが可能であり、いわば使い捨て用として適している。
【００２６】
筺体８をステンレス板等の不燃材で形成すると、遺体安置用冷却盤１を、例えば後記するように、家で布団に横臥させた遺体の冷却に使用する場合には適しているが、棺内に横臥させた遺体の冷却に使用する場合は、火葬する際、通常は、棺は焼却直前に開くようなことはしないので、遺体安置用冷却盤１を取り出すことはできず、焼却もできず、使い捨て用には、適していない。
【００２７】
仮に、後記するような特別仕様の棺４０（図４（ｃ）参照）を使用し、火葬前に遺体安置用冷却盤１を棺４０から取り出して繰り返し使用できるような構成とする場合には、ステンレス板で形成した遺体安置用冷却盤１は、洗浄し易く、腐食したり錆びたりしない耐腐食性、防錆性を有するという点でメリットがある。
【００２８】
筺体８の寸法は、遺体を横臥して安置できる程度の大きさであり、一例としては、筺体８は、横幅が６００ｍｍ〜７００ｍｍ程度、縦幅が１９００ｍｍ程度、上下幅が５０ｍｍ程度であり、上下方向の寸法が小さい浅底の平板状の筺体である。
【００２９】
複数の頂板支持桟９は、本実施例では、図１（ａ）、（ｂ）、図２（ａ）〜（ｄ）に示すが、前後に長手方向に延びるように、互いに平行に複数列、底板１０と頂板１３の間に固定して設けられている。筺体８内は、複数の頂板支持桟９によって区画され、長手方向に延びる複数列の空間１７が形成されている。
【００３０】
なお、頂板支持桟９は、前後に長手方向に延び、互いに平行に複数列設けられている本実施例のような構成ではなく、図示はしないが、左右の方向に延びるように、互いに平行に複数列設けられている構成として、左右の方向に延びる複数列の空間が形成される構成としてもよい。また、頂板支持桟９は、前後左右に複数列設けられた構成、即ち格子状に形成してもよい。さらに、頂板支持桟９は、平面視でハニカム状に形成してもよい。
【００３１】
頂板支持桟９は、長細い板から形成され、その長手方向に直交する垂直断面は、図２（ｂ）〜（ｄ）に示すように、コの字形であり、上端部１８、中央部１９及び下端部２０から成る。中央部１９には、冷気流通用の複数の冷気流通孔２１が長手方向に一定の間隔をおいて形成されている。
【００３２】
この冷気流通孔２１は、後記するが、隣接する空間１７間で冷気を流通させるために形成された孔であり、特に形状は問わず、例えば、丸、楕円、矩形等が考えられるが、本実施例では、上下方向に長軸を有する楕円形（上下方向に長細い楕円形）に形成されており、楕円形であると、後記するが、強度および冷気の流通の観点から好ましい。
【００３３】
楕円形の冷気流通孔２１の寸法は、例えば、前後幅が１０ｍｍであり、縦幅４０ｍｍのような寸法に形成される。頂板支持桟９の下端部２０は、底板１０に溶接によって固定されている。そして、頂板１３は、図２（ｂ）〜（ｄ）に示すように、コの字形をした頂板支持桟９の上端部１８に載置されて固定されている。
【００３４】
頂板１３は、前後左右の側板１１、１２及び板支持桟９の上端部１８のいずれか又は両方に、固定するか、又は蓋のように着脱可能に取り付ける。筺体８を木材、紙材等の可燃材で形成し、棺内に入れて使用し、火葬の際に焼却し使い捨てするような場合は、頂板１３は上記固定する構成が好ましい。
【００３５】
頂板１３を着脱可能とするためには、頂板１３を前後左右の側板１１、１２及び板支持桟９の上端部１８のいずれか又は両方に、ねじ止めする構成としてもよいが、より容易に着脱可能とするためには、例えば、頂板１３の前後又は左右の側面の２、３箇所に、図４（ａ）に示すような形状のバネ片１４を固定し、バネ片１４に対応して前後の側板１１又は左右の側板１２に係止突起１５を設け、バネ片１４を係止突起１５に弾力的に係脱可能な構成とすればよい。
【００３６】
或いは、頂板１３の下面における頂板支持桟９の上端部１８に対応する位置に、図４（ｂ）に示すようなバネ片１６を数カ所固定し、バネ片１６を頂板支持桟９の上端部１８に弾力的に係脱可能な構成としてもよい。また、フックボタンのような凹部及び凸を、それぞれ頂板１３と、前後左右の側板１１、１２及び板支持桟９の上端部１８のいずれか又は両方と、に設ける構成としてもよい。
【００３７】
このように、筺体８をステンレス板等の不燃材で形成した場合は、頂板１３を頂板支持桟９に着脱可能に取り付けられる構成とすれば、頂板１３を取り外すことができ、洗浄作業の際に、筺体８の内面（頂板１３、底板１０、前後の側板１１及び左右の側板１２の内面）を、洗浄し易くなり、繰り返し使用することが可能となる。 
【００３８】
頂板１３には、図１（ａ）、（ｂ）に示すように、その全面に均等に複数の冷気流出孔２５が形成されている。具体的には、図１（ｂ）、図２（ｂ）、（ｃ）に示すように、筺体８内に形成された複数列の空間１７のそれぞれ面して、長手方向に一定の間隔をおいて複数の冷気流出孔２５が形成されている。この冷気流出孔２５は、空間１７内の冷気を遺体側に向けて上方に吹き出すように流出する機能を有する。
【００３９】
なお、本実施例では、頂板１３に複数の冷気流出孔２５を形成した構成を採用したが、このような頂板１３ではなく、図示はしないが、筺体８の頂部には格子又はある程度強度を備えたネットを設けた構成としてもよい。
【００４０】
冷凍機３は、通常の冷凍機３を使用すればよいが、運搬し易いようにコンパクトな冷凍機が好ましい。また、実用上は、冷凍機３の動作音が大きくならないように、モータ音の低減や防振構造等を改善されたものであることが好ましい。
【００４１】
冷凍機３と遺体安置用冷却盤１の間を連通するように可撓性のパイプ４が設けられている。パイプ４の基端は、冷凍機３に取り付けられており、パイプ４の先端は遺体安置用冷却盤１に設けられた栓孔２６に装着される。
【００４２】
栓孔２６は、遺体安置用冷却盤１の左右の側板１２のいずれか一方若しくは両方、前後の側板１１のいずれか一方若しくは両方、又は左右の側板１２と前後の側板１１とに組み合わせた箇所に設けられ、空間１７に連通している。
【００４３】
本実施例では、遺体安置用冷却盤１の左側の側板１２の前後の部分に、それぞれパイプ４を装着する栓孔２６が設けられ、この栓孔２６にパイプ４を外側から嵌合して装着する構成である。このようにして、冷凍機３で発生した冷気を、パイプ４及び栓孔２６を通して、遺体安置用冷却盤１内に供給するような構成とする。
【００４４】
本実施例では、冷凍機３に接続したパイプ４の先端側を２つのパイプ４に分岐して、それぞれ遺体安置用冷却盤１の前方と後方のそれぞれの栓孔２６に装着し、前後の栓孔２６から冷気を遺体安置用冷却盤１内に供給する構成としているが、このようなパイプ４の配置は、別の態様としてもよい。
【００４５】
例えば、２つのパイプ４に分岐しなくても、１本のパイプ４だけで冷凍機３と遺体安置用冷却盤１の間を連通する構成としてもよいし、３本以上に分岐して、さらに遺体安置用冷却盤１の前後左右の側板１２のいずれかに設けられた栓孔２６に装着して、遺体安置用冷却盤１の各領域にさらにきめ細かく冷気を供給可能とする構成としてもよい。
【００４６】
（作用）
本発明に係る遺体安置用冷却盤１及び該遺体安置用冷却盤１を備えた遺体冷却装置２の使用を通して、作用について説明する。
【００４７】
自宅等で布団等に横臥された遺体を冷却するために、遺体安置用冷却盤１及び遺体冷却装置２を使用する場合は、図３（ａ）に示すように、敷き布団（又は敷き布）２７の上に遺体安置用冷却盤１を載置し、分岐された２つのパイプ４の先端を、それぞれ遺体安置用冷却盤１の前後の栓孔２６に装着し、冷凍機３にパイプ４を介して連通する。
【００４８】
そして、遺体安置用冷却盤１の上に毛布２８等を敷いて、その上に遺体３３を横臥し、さらに掛け布団２９を被せる。以上の準備をしてから、冷凍機３のスイッチを入れて冷凍機３を始動させ、冷凍機３によって生じる冷気をパイプ４を通して、遺体安置用冷却盤１内に送給する。
【００４９】
遺体安置用冷却盤１内に送給された冷気は、頂板支持桟９で仕切られた空間１７内に流入し、複数の冷気流通孔２１を通して隣接する他の空間１７に順次、流入していき、複数の空間１７内に冷気が充満する。さらに、複数の空間１７内に充満された冷気は、多数の冷気流出孔２５から上方に流出し、毛布２８を介して遺体３３を冷却する。
【００５０】
このようにして、自宅等で、図３（ａ）に示すように、自然な状態で掛け布団２９を掛けられて横臥された遺体３３を冷却することができ、環境温度による遺体３３の腐敗を抑止することが可能となる。
【００５１】
本発明に係る遺体安置用冷却盤１では、複数の頂板支持桟９を設けることによって、筺体８内を仕切り複数の空間１７を形成するとともに、頂板１３を支持する構成としたので、頂板１３は、木材、紙材等の可燃材を使用しても、或いはある程度の薄板のステンレス板材を使用しても、遺体を横臥するために十分な強度を持たせることができる。   
【００５２】
特に、頂板支持桟９は、断面がコの字形に形成されているので、頂板１３との接触面積が、例えば、断面Ｉ字形に形成されている構成に比べて、より広くなるので、頂板１３をより十分に支持できる。
【００５３】
そのために、頂板１３に上方から遺体３３及び布団等の重量が加わっても、複数の頂板支持桟９で形成され、冷気が充満する空間１７を押しつぶすようなことがなく、冷気を全空間１７の全域に渡って流通させることができ、頂板１３の全面にわたって冷却することが可能となる。
【００５４】
また、頂板支持桟９は複数設けるので、１枚当たりの頂板支持桟９はある程度の薄板でもよく、また頂板支持桟９で支持される頂板１３も上記のとおり薄板を使用することができるので、遺体安置用冷却盤１は、全体的に軽量となり、しかも強度を向上させることができる。
【００５５】
しかも、遺体安置用冷却盤１の上下寸法は、前記のとおり。例えば５０ｍｍと薄いので、全体的にコンパクトな構成となる。そのように、遺体安置用冷却盤１は、軽量、コンパクトであるため、運搬し易く、使用のためのセット等において、使い勝手がきわめて良い。
【００５６】
遺体安置用冷却盤１の複数の頂板支持桟９は、頂板１３の支持、補強という機能を奏するだけでなく、冷却効果を増進する機能も奏する。即ち、遺体安置用冷却盤１の空間１７内に流入した冷気は、複数の頂板支持桟９にも冷熱を伝熱しても冷却する。
【００５７】
筺体８及び頂板支持板９をステンレス板等の金属板で形成した場合は、冷却された頂板支持桟９は、その冷熱を頂板１３に伝熱する。ところで、頂板支持桟９は、前記したとおり、その断面がコの字形に形成されているので、その上端部１８と頂板１３との接触面積は、断面がＩ字形の場合に比べてより大きくなるので、頂板支持桟９の冷熱を頂板１３に伝熱する伝熱量は大きくなり、頂板１３はより冷却されやすい。
【００５８】
頂板支持桟９に形成された複数の冷気流通孔２１は、その形状は円形、楕円形、矩形等いずれの形状でも良いが、本実施例のように、上下方向に長軸を備えた楕円形とすると、空間１７内の中程の高さだけでなく、上下の高さの位置においても、隣接する空間１７間での冷気の流通が可能となる。
【００５９】
しかも、頂板支持桟９において、長手方向に互いに隣接する冷気流通孔２１の間隔は、冷気流通孔２１を楕円形にすると、同じ面積の丸形の冷気流通孔２１に比べてより大きくなり、中央部１９について孔がない部分の長手方向の総計幅が大きくなり、頂板支持桟９の上下方向へ加えられる力に対する強度は向上する。
【００６０】
次に、棺内に横臥した遺体を安置用冷却盤１で冷却する場合は、図３（ｃ）に示すように、予めパイプ４を挿通するためのパイプ挿通孔３４が形成された棺３５を使用する。棺３５の底に薄い敷物３６を敷いて、その上に遺体安置用冷却盤１を載置する。
【００６１】
そして、パイプ４の先端を、棺３５のパイプ挿通孔３４を通して棺３５内に挿入し、さらに、安置用冷却盤１の栓孔２６に装着し、これによって、冷凍機３にパイプ４を介して連通する。
【００６２】
そして、遺体安置用冷却盤１の上にさらに敷物３７を敷いてから遺体３３を横臥する。そして、冷凍機３のスイッチを入れて冷凍機３を作動させる。すると、冷凍機３によって生じる冷気をパイプ４を通して、棺３５内の遺体安置用冷却盤１内に送給することで、棺３５内及び遺体３３を冷却する。
【００６３】
遺体安置用冷却盤１の筺体８を、木材、紙材等の燃える材料で形成した場合は、火葬の際に、棺３５とともに使用すれば火葬の際に焼却可能である。遺体安置用冷却盤１の筺体８を、ステンレス板等の不燃材料で形成した場合は、棺内での使用には適していない。しかしながら、不燃材料で形成しても、次に説明するように、遺体安置用冷却盤１に適した特別仕様の棺４０を使用すれば、繰り返しの使用が可能となる。
【００６４】
特別仕様の棺４０は、その前後の側板１１及び左右の側板１２のいずれか１つの側板、ここでは、図４（ｃ）に示すように、左側の側板１２の下部において、遺体安置用冷却盤１が載置されている位置の側方に対応する部分に、遺体安置用冷却盤１をスライドして取り出せるような寸法の開口４１を設け、この開口４１をヒンジ４３（蝶番）で開閉可能な扉４２を設ける。扉４２には、パイプ挿通孔３４を形成する。
【００６５】
さらに、棺４０内の下部は、図４（ｃ）に示すように、例えば、紙材又は木材等の燃焼可能な材料で形成した格子（簀の子でもよい）４５を水平に取り付け、棺４０内を上下に仕切り、格子４５で仕切られた下方を遺体安置用冷却盤１の冷却盤装入空間４６とし、格子で仕切られた上方を遺体安置空間４７とする。
【００６６】
このような構成の特別仕様の棺４０を使用すれば、扉４２を開いて冷却盤装入空間４６内に遺体安置用冷却盤１を装入し、パイプ４をパイプ挿通孔３４を通して栓孔２６に装着し、遺体安置空間４７に遺体を横臥させることで、遺体安置用冷却盤１によって、遺体３３を冷却することが可能となる。そして、遺体安置用冷却盤１は、扉４２を開いて火葬の直前に簡単に棺４０から容易に取り出することができ、洗浄することで、繰り返し使用可能となる。
【００６７】
以上、本発明に係る遺体安置用冷却盤及び該遺体安置用冷却盤を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６８】
本発明に係る遺体安置用冷却盤及び該遺体安置用冷却盤は上記のような構成であるから、自宅の布団内、棺内に横臥した遺体に限らず、他の状況で横臥し、安置された遺体の冷却にも適用可能である。
【符号の説明】
【００６９】
１  遺体安置用冷却盤     
２  遺体冷却装置         
３  冷凍機               
４  パイプ               
８  筺体               
９  頂板支持桟           
１０  底板                       
１１  前後の側板                 
１２  左右の側板                 
１３  頂板
１４  バネ片
１５  係合突起
１６  バネ片                       
１７  空間                       
１８  上端部                     
１９  中央部                     
２０  下端部                     
２１  冷気流通孔                 
２５  冷気流出孔                 
２６  栓孔                       
２７  敷き布団                   
２８  毛布                       
２９  掛け布団                   
３３  遺体                       
３４  パイプ挿通孔               
３５  棺                         
３６  敷物                       
３７  敷物 
４０  特別仕様の棺
４１  開口
４２  扉
４３  ヒンジ（蝶番）
４５  格子
４６  冷却器装入空間
４７  遺体安置用空間                      
【図１】
2019115543.tif 000003
【図２】
2019115543.tif 000004
【図３】
2019115543.tif 000005
【図４】
2019115543.tif 000006